(57)【要約】【課題】  モニタ画面を監視する専任の要員を配置しなくても、監視対象の監視が可能な防犯監視システムを提供する。【解決手段】  監視対象をビデオカメラ１１で撮影し、撮像された映像を伝送し、その伝送された映像をモニタ１３に表示するとともに、この映像は作業者が装着するＨＭＤ１５のコントローラ１６に無線ユニット１７、１８を介して送信され表示されるので、作業者は作業や移動しながらでもＨＭＤ１５により監視対象の映像を監視することができる。【選択図】        図１
2008160203.tif 000002
【特許請求の範囲】
【請求項１】
監視対象を撮影する少なくとも１台の撮像手段と、該撮像手段で撮像された映像を伝送する伝送手段と、該伝送手段で伝送された映像を表示する表示手段を備えた防犯監視システムにおいて、作業者が装着する頭部装着型表示装置と、該表示装置に前記映像を送信する無線通信手段とを備えたことを特徴とする防犯監視システム。
【請求項２】
前記頭部装着型表示装置には、撮像手段若しくは映像の録画手段の少なくとも一方の操作メニューが表示され、該操作メニューを選択する選択手段が具備されると共に、該選択手段で選択された操作メニューに対応する指令を無線通信手段で送信し、前記撮像手段若しくは録画手段を制御するよう構成されたことを特徴とする防犯監視システム。
【発明の詳細な説明】
【技術分野】
【０００１】
本発明は、防犯のため、店舗内の様子をビデオカメラで撮影し、その映像を監視者に提供する防犯監視システムに関する。
【背景技術】
【０００２】
従来、店舗内を監視する固定式ビデオカメラ、また、撮像領域を任意に変更できる移動機構を備えたビデオカメラで店舗内の様子を撮影し、管理室等に設置されたモニタに表示して、店舗内の様子を確認し、万引きなどの防犯を行ったり、録画することでその録画映像を検証に利用したりしている。
【特許文献１】特開２００２−２３２８２４
【発明の開示】
【発明が解決しようとする課題】
【０００３】
しかしながら、所定の場所に設置されたモニタ画面を見て監視する必要があり、監視を担当する者が、接客や品出し等の作業を行っている際、離れた場所の監視がおろそかになっていた。
【０００４】
したがって、監視を十分に行うためには、専任の要員が必要であるが、人件費などの費用が余計に発生するので、そのような監視が十分に行われていないことがある。
【０００５】
そこで、本発明は上記課題を解決し、モニタ画面を監視する専任の要員を配置しなくても、十分に防犯を監視できる監視システムを提供することを目的とする。
【課題を解決するための手段】
【０００６】
上記課題を解決するため、本発明は、監視対象を撮影する少なくとも１台の撮像手段と、撮像手段で撮像された映像を伝送する伝送手段と、伝送手段で伝送された映像を表示する表示手段を備えた防犯監視システムにおいて、作業者が装着する頭部装着型表示装置と、表示装置に映像を送信する無線通信手段を備えたことを特徴とする。
【０００７】
さらに、頭部装着型表示装置には、撮像手段若しくは映像の録画手段の少なくとも一方の操作メニューが表示され、操作メニューを選択する選択手段が具備されると共に、選択手段で選択された操作メニューに対応する指令で撮像手段若しくは録画手段を制御するよう構成されてもよい。
【発明の効果】
【０００８】
本発明は、撮像手段によって撮像された映像を頭部装着型表示装置に表示することができるので、頭部装着型表示装置を装着した作業者は移動したり作業をしたりしながらでも、映像を監視することができるので、映像を監視するための要員を配置しなくても、十分に防犯を監視できる。また、このような監視を行っていることを告知することでも防犯効果にもつながる。
【発明を実施するための最良の形態】
【０００９】
図１は本実施例に係る防犯監視システムのブロック図、図２は本実施例に係る防犯監視システムの概略を示した図である。
【００１０】
本実施例に係る防犯監視システムを適用した店舗内には、複数のビデオカメラ１１が設置され、店舗内の様子が撮影される。ビデオカメラ１１は、特に死角になる領域を撮影できるよう配置されている。
【００１１】
そのビデオカメラ１１で撮影された映像は、有線若しくは無線で管理室や事務室に設置された処理装置１２に伝送され、処理装置１２に接続されたモニタ１３に表示される。モニタ１３には、複数のビデオカメラ１１から送信された映像を分割画面で同時に表示したり、また、一定間隔で順次切り換えながら表示される。これら映像を録画装置１４にて録画することも可能である。また、複数のモニタ１３を備え、それぞれ対応して複数のビデオカメラ１１の映像をそれぞれ表示しても良い。
【００１２】
そして、本実施例では、これら映像を店舗内の作業者が装着した頭部装着型表示装置（以下、ＨＭＤという）１５に表示することが可能である。すなわち、ＨＭＤ１５にはコントローラ１６が接続され、このコントローラ１６には無線ユニット１７が設けられており、処理装置１２の無線ユニット１８から送信された映像信号を受信して信号処理することでＨＭＤ１５に表示される。これにより、ＨＭＤ１５を装着した作業者は、店舗内のどこにいても、監視の必要な場所を映像により監視することができる。しかも、ＨＭＤ１５はいわゆるシースルータイプであるので、映像によって必要な監視を行いながら品出しや掃除、接客などの他の作業を行うことも容易である。
【００１３】
したがって、監視のための要員を確保しなくても、十分な監視が行えるので、人件費などの余計に発生する費用を抑えることができ、小規模の店舗であっても、十分に万引きなどの防犯効果を期待できる。
【００１４】
また、本実施例では、ＨＭＤ１５には、ビデオカメラ１１や録画装置１４を操作するための操作メニューを表示させることも可能である。そしてＨＭＤ１５に接続されたコントローラ１６に備えられた選択デバイスを操作し、所望のメニューを選択すると、その指令信号が無線ユニット１７、１８を介して処理装置１２に送信され、ビデオカメラ１１や録画装置１４が操作される。
【００１５】
これにより、例えば、通常、ＨＭＤ１５に複数ビデオカメラ１１からの複数映像が分割されて表示されていても、特に注目したい映像がある場合は、それを選択することで拡大表示することができるし、選択された映像だけを録画することもできる。また、録画装置１４から離れたところからでも、録画された映像を再生して確認することもできる。さらに、ＨＭＤ１５には通報指令を行うメニューも選択できるようにすることで、無線ユニット１７等を介して、任意の作業場所から速やかに警備会社等への通報も可能となる。また、無線ユニット１７ではなく、モデムによる公衆回線を利用して警備会社等への通報も可能である。
【００１６】
なお、本実施例では、店舗内の防犯監視のための適用例を示したが、これに限られない。例えば、ビルやマンションの管理のため、管理人等が巡回する際、本実施例のＨＭＤ１５を装着することで、モニタ１３を備えた管理室にいるときと同様に、巡回する場所以外の監視を行うことができる。
【図面の簡単な説明】
【００１７】
【図１】本実施例に係る防犯監視システムのブロック図。
【図２】本実施例に係る防犯監視システムの概略を示した図。
【符号の説明】
【００１８】
１１  ビデオカメラ
１３  モニタ
１５  ＨＭＤ
１６  コントローラ
１７、１８  無線ユニット
【図１】
2008160203.tif 000003
【図２】
2008160203.tif 000004